(57)【特許請求の範囲】
【請求項１】
透液性表面シートおよび不透液性裏面シートと前記表裏面シートの間に介在する吸液性第１コアとから形成された第１パネル、実質的に液が透過することが可能な弾性的に伸縮する伸縮性シートと前記伸縮性シートの中央域に配置されて該伸縮性シートに包被された吸液性第２コアとから形成されて前記第１パネルの上面に位置する第２パネルを有し、
前記第１コアと前記第２コアとが、高吸収性ポリマー粒子を含有し、前記第２コアの前記高吸収性ポリマー粒子の含有密度と経血吸収速度とが、前記第１コアのそれらよりも高く、前記第２パネルの中央域が、前記第２コアによって上方へ隆起するとともに、前記第１パネルの第１コアの領域よりも高い柔軟性を有し、液透過性の多数の開口が、前記第２コアの上面を覆う前記伸縮性シートの中央域に形成され、
前記第１パネルと前記第２パネルとが、横方向へ延びる両端縁部と、縦方向へ延びる両側縁部とを有し、前記第１パネルの両側縁部が、前記第２パネルの両側縁部から横方向外方へ延出し、前記第２パネルの両端縁部が、前記伸縮性シートを縦方向へ伸長させた状態で前記第１パネルの両端縁部に接合され、前記第１パネルが、前記伸縮性シートの収縮力で縦方向に湾曲し、前記第２パネルが、前記第１パネルの上面から上方へ離間し、
前記第１および第２パネルの両端縁部どうしを接合するときの前記伸縮性シートの縦方向における伸張率が、５〜５０％の範囲にあり、前記伸縮性シートを縦方向へ５〜５０％伸長したときの該伸縮性シートの縦方向における収縮力が、１１．８〜１９６．９ｇ／ｃｍの範囲にあることを特徴とする生理用ナプキン。
【発明の詳細な説明】
【０００１】
【発明の属する技術分野】
本発明は、経血を吸収保持する生理用ナプキンに関する。
【０００２】
【従来の技術】
生理用ナプキンは、ナプキンの裏面に形成された粘着性止着域を着用ショーツの股下域に貼着して使用するものが一般的である。
【０００３】
【発明が解決しようとする課題】
しかし、着用ショーツがずれ下がると、それに伴ってナプキンがずれ下がり、ナプキンが膣口とその周辺から離間して経血漏れの原因になる場合がある。
【０００４】
本発明の目的は、かかる原因による経血漏れを解消した生理用ナプキンを提供することにある。
【０００５】
【課題を解決するための手段】
前述した課題を解決するために、本発明の生理用ナプキンは、透液性表面シートおよび不透液性裏面シートと前記表裏面シートの間に介在する吸液性第１コアとから形成された第１パネル、実質的に液が透過することが可能な弾性的に伸縮する伸縮性シートと前記伸縮性シートの中央域に配置されて該伸縮性シートに包被された吸液性第２コアとから形成されて前記第１パネルの上面に位置する第２パネルを有し、前記第１コアと前記第２コアとが、高吸収性ポリマー粒子を含有し、前記第２コアの前記高吸収性ポリマー粒子の含有密度と経血吸収速度とが、前記第１コアのそれらよりも高く、前記第２パネルの中央域が、前記第２コアによって上方へ隆起するとともに、前記第１パネルの第１コアの領域よりも高い柔軟性を有し、液透過性の多数の開口が、前記第２コアの上面を覆う前記伸縮性シートの中央域に形成され、前記第１パネルと前記第２パネルとが、横方向へ延びる両端縁部と、縦方向へ延びる両側縁部とを有し、前記第１パネルの両側縁部が、前記第２パネルの両側縁部から横方向外方へ延出し、前記第２パネルの両端縁部が、前記伸縮性シートを縦方向へ伸長させた状態で前記第１パネルの両端縁部に接合され、前記第１パネルが、前記伸縮性シートの収縮力で縦方向に湾曲し、前記第２パネルが、前記第１パネルの上面から上方へ離間し、前記第１および第２パネルの両端縁部どうしを接合するときの前記伸縮性シートの縦方向における伸張率が、５〜５０％の範囲にあり、前記伸縮性シートを縦方向へ５〜５０％伸長したときの該伸縮性シートの縦方向における収縮力が、１１．８〜１９６．９ｇ／ｃｍの範囲にあることを特徴とする。
【０００６】
【０００７】
【発明の実施の形態】
添付の図面を参照し、本発明に係る生理用ナプキンの詳細を説明すると、以下のとおりである。
【０００８】
図１，２は、生理用ナプキン１の部分破断斜視図と、図１のＡ−Ａ線断面図を含む生理用ナプキン１の斜視図とである。図１では、横方向を矢印Ｌ、縦方向を矢印Ｍで示し、厚み方向を矢印Ｎで示す。生理用ナプキン１は、第１パネル２と、第１パネル２の上面に位置する第２パネル１０とから構成されている。
【０００９】
第１パネル２は、透液性表面シート３と、不透液性裏面シート４と、表裏面シート３，４の間に介在する吸液性第１コアとから形成されている。第１パネル２は、ナプキン１を着用したときに着用ショーツの前後に位置して横方向へ延びる両端縁部６，７と、着用ショーツの股下域両縁部に沿って縦方向へ延びる両側縁部８，９とを有する。第１コア５は、表裏面シート３，４のうちの少なくとも一方の内面に接着剤を介して接合されている。表面シート３と裏面シート４とは、第１コア５の周縁から延出する部分が互いに重なり合った状態で接合されている。それらシート３，４は、接着剤または熱溶着手段によって接合されている。
【００１０】
第２パネル１０は、実質的に液透過性を有して弾性的に伸縮可能な伸縮性シート１１，１２と、伸縮性シート１１，１２の間に介在してシート１１，１２に包被された吸液性第２コア１３とから形成されている。第２パネル１０は、ナプキン１を着用したときに着用ショーツの前後に位置して横方向へ延びる両端縁部１５，１６と、着用ショーツの股下域両縁部に沿って縦方向へ延びる両側縁部１７，１８とを有する。第２コア１３は、伸縮性シート１１，１２の中央域１９に配置されている。第２コア１３は、伸縮性シート１１，１２のうちの少なくとも一方の内面に接着剤を介して接合されている。第２コア１３の上面を覆う伸縮性シート１１の中央域１９には、液透過性の多数の開口１４が形成されている。第２パネル１０は、その中央域２０が第２コアによって上方へ隆起している。伸縮性シート１１，１２は、第２コア１３の周縁から延出する部分が互いに重なり合った状態で接合されている。それらシート１１，１２は、接着剤または熱溶着手段によって接合されている。
【００１１】
第２パネル１０の中央域２０近傍における横方向の寸法は、第１パネル２の横方向のそれよりも小さい。第２コア１３の横方向の寸法は、第１コア５の横方向のそれよりも小さい。第１パネル２の両側縁部８，９は、第２パネル１０の両側縁部１７，１８から横方向外方へ延出している。
【００１２】
第２パネル１０は、その両端縁部１５，１６が第１パネル２の両端縁部６，７の上面に接合されている。両端縁部６，７，１５，１６どうしを接合するときは、伸縮性シート１１，１２を縦方向へ伸長した状態にある。両端縁部６，７，１５，１６どうしは、接着剤または熱溶着手段により接合されている。第１および第２パネル２，１０の両端縁部６，７，１５，１６どうしを接合するときの伸縮性シート１１，１２の縦方向における伸張率は、５〜５０％の範囲にある。伸縮性シート１１，１２を縦方向へ５〜５０％伸長したときの伸縮性シート１１，１２の縦方向における収縮力は、１１．８〜１９６．９ｇ／ｃｍの範囲、好ましくは、１１．８〜１１８．１ｇ／ｃｍの範囲にある。伸縮性シート１１，１２は、第１パネル２の剛性に抗して第１パネル２をナプキン１の厚み方向下方へ湾曲させることが可能な収縮力を有する。
【００１３】
図３は、図１の生理用ナプキン１のＢ−Ｂ線断面図である。図３では、伸縮性シート１１，１２の伸長状態が解除されている。ナプキン１を自然に放置した未着用状態では、図３に示すように、伸縮性シート１１，１２の収縮力によって第１パネル２が表面シート３を内側にしてナプキン１の厚み方向下方へ湾曲している。ナプキン１では、第１パネル２が縦方向に湾曲することにともなって、第２パネル１０が第１パネル２の上面から上方へ離間し、第２パネル１０がその両端縁部１５，１６間においてほぼ水平に延びる。
【００１４】
ナプキン１の通常の着用状態では、第１パネル２の上面と第２パネル１０の下面とが互いに当接した状態にあり、それらパネル２，１０が着用者の身体局部に当接する。ナプキン１の着用中にナプキン１を貼着した着用ショーツが不用意にずれ下がると、着用ショーツとともに第１パネル２が身体局部から離間する。しかし、このナプキン１では、第１パネル２がずれ下がったとしても、第２パネル１０が第１パネル２の上方へ離間し、第２パネル１０の中央域２０が身体局部へ当接する。ナプキン１は、着用ショーツがずれ下がったとしても、第２パネル１０の身体局部への当接状態を維持することができ、第２コア１３に経血を吸収させることができるので、経血漏れを起こすことがない。第２コア１３に吸収されない経血は、第２パネル１０の下方に位置する第１パネル２の第１コア５に吸収される。
【００１５】
第１および第２コア５，１３は、高吸収性ポリマー粒子を含有している。第２コア１３は、高吸収性ポリマー粒子の含有密度と経血吸収速度とが第１コア５のそれらよりも高い。また、第２コア１３が位置する第２パネル１０の中央域２０は、その幅方向断面において、その両側部から中央部へ向かって次第に隆起する形状であって、第１パネル２の第１コア５の領域よりも柔軟性が高い。第２パネル１０を形成する伸縮性シート１１，１２としては、合成ゴムを配合した伸縮性フィルムにレーザや熱エンボスまたはスリット拡幅処理により開孔させたシート、合成ゴムを成分としたスパンボンド不織布やメルトブロー不織布、伸縮性材料と不織布とを貼り合せた複合材料等を使用することが好ましい。第２コア１３の幅方向の寸法は、１０〜６０ｍｍの範囲にあることが好ましく、２０〜４０ｍｍの範囲にあることがより好ましい。第２コア１３の前後方向の寸法は、５０ｍｍ以上であることが好ましく、第２コア１３の厚みは、１０〜１５ｍｍの範囲にあることが好ましい。
【００１６】
第２パネル１０の両端縁部１５，１６は、第１コア５の周縁から延出する表面シート３の上面に接合されているが、第２パネル１０の両端縁部１５，１６と表面シート３の上面との接合部位が第１コア５の両端部に位置していると、伸縮性シート１１，１２の収縮力によって第１コア５をナプキン１の厚み方向下方へ凸となるように湾曲させ易い。また、第１コア５と表面シート３とが、間欠的に接合されていてもよい。これにより、第１パネル２がナプキン１の厚み方向下方へ湾曲したときに、表面シート３と第１コア５とが離間することを防ぐことができる。
【００１７】
【発明の効果】
本発明に係る生理用ナプキンによれば、その着用中に着用ショーツがずれ下がり第１パネルが身体局部から離間したとしても、第２パネルが第１パネルの上方へ浮き上がり、第２パネルの中央域が身体局部へ当接する。このナプキンは、着用ショーツがずれ下がったとしても、第２パネルの身体局部への当接状態を維持することができ、第２コアに経血を吸収させることができるので、経血漏れを起こすことがない。また、このナプキンは、第２パネルが縦横方向、特に横方向への移動が可能であるから、第１パネルが着用ショーツとともに横方向へ移動したとしても、第２パネルの身体局部への当接状態を維持することができ、第１パネルの移動による経血漏れを未然に防止することができる。
【図面の簡単な説明】
【図１】  生理用ナプキンの部分破断斜視図。
【図２】  図１のＡ−Ａ線切断面図を含む生理用ナプキンの斜視図。
【図３】  図１のＢ−Ｂ線断面図。
【符号の説明】
１          ナプキン
２          第１パネル
３          透液性表面シート
４          不透液性裏面シート
５          吸液性第１コア
６，７      両端縁部
８，９      両側縁部
１０          第２パネル
１１          伸縮性シート
１２          伸縮性シート
１３          吸液性第２コア
１５，１６    両端縁部
１７，１８    両側縁部
【図１】
0003652505.tif 000002
【図２】
0003652505.tif 000003
【図３】
0003652505.tif 000004